(57)【要約】【課題】  主電源スイッチを居室親機に設けた構成であっても、侵入者等居住者以外の人が容易にオフ操作できないインターホン装置を提供すること、更に侵入者に対して電源オフ操作が成されたと思わせる電源スイッチを備えたインターホン装置提供する。【解決手段】  窓センサ等の防犯センサ７が接続された居室親機２に、全体への電源をオン／オフ操作する主電源スイッチ２１に加えて、少なくとも居室親機２のモニタ１８等の表示機能部への電源供給を停止し、防犯センサ７及び防犯センサ７の異常検知を受けて制御機４へ異常発生信号を送信するための回路への電源供給は継続する副電源スイッチ２２を備え、副電源スイッチ２２を主電源スイッチ２１に比して大型に形成した。【選択図】  図１
2008118169.tif 000002
【特許請求の範囲】
【請求項１】
来訪者が居住者を呼び出すために集合住宅のエントランスに設置された集合玄関機と、前記集合玄関子機からの呼び出しに応答するために居室内に設置された居室親機と、各機器間の通信及び通話を制御する制御機とを有し、前記居室親機には窓センサ等の防犯センサが接続され、前記防犯センサが異常を検知したら前記居室親機が発報動作すると共に、少なくとも前記制御機へ異常発生信号を送信するインターホン装置において、
前記居室親機に、回路全体への電源供給を操作する主電源スイッチに加えて、少なくとも居室親機の表示機能を停止し、前記防犯センサ及び防犯センサの異常検知を受けて前記制御機へ異常発生信号を送信するための回路への電源供給は継続する副電源スイッチを備えたことを特徴とするインターホン装置。
【請求項２】
来訪者が居住者を呼び出すために住戸玄関に設置された玄関子機と、前記玄関子機からの呼び出しに応答するために住戸内に設置された居室親機とを有し、前記居室親機には窓センサ等の防犯センサが接続され、前記防犯センサが異常を検知したら前記居室親機が発報動作するインターホン装置において、
前記居室親機に、回路全体への電源供給を操作する主電源スイッチに加えて、少なくとも居室親機の表示機能を停止し、前記防犯センサ及び防犯センサの異常検知を受けて発報動作を行うための回路への電源供給は継続する副電源スイッチを備えたことを特徴とするインターホン装置。
【請求項３】
来訪者が居住者を呼び出すために集合住宅のエントランスに設置された集合玄関機と、前記集合玄関子機からの呼び出しに応答するために居室内に設置された居室親機と、各機器間の通信及び通話を制御する制御機とを有し、前記居室親機には窓センサ等の防犯センサが接続され、前記防犯センサが異常を検知したら前記居室親機が発報動作すると共に、少なくとも前記制御機へ異常発生信号を送信するインターホン装置において、
前記居室親機は、操作者を認証するための認証装置と、少なくとも居室親機の表示機能を停止する可変電源スイッチと、前記可変電源スイッチによる電源操作領域を変更する電源操作変更部と、前記電源操作変更部を制御する制御手段とを有し、
前記制御手段は、前記認証装置による操作者の認証を受けて、前記可変電源スイッチの操作により全回路への電源供給をオン／オフ操作可能とし、認証しなければ前記可変電源スイッチの操作では前記防犯センサ、及び防犯センサの異常検知を受けて前記制御機に異常発生信号を送信するための回路への電源供給を停止できないよう前記電源操作変更部を制御することを特徴とするインターホン装置。
【請求項４】
来訪者が居住者を呼び出すために住戸玄関に設置された玄関子機と、前記玄関子機からの呼び出しに応答するために住戸内に設置された居室親機とを有し、前記居室親機には窓センサ等の防犯センサが接続され、前記防犯センサが異常を検知したら前記居室親機が発報動作するインターホン装置において、
前記居室親機は、操作者を認証するための認証装置と、少なくとも居室親機の表示機能を停止する可変電源スイッチと、前記可変電源スイッチによる電源停止領域を変更する電源操作変更部と、前記電源操作変更部を制御する制御手段とを有し、
前記制御手段は、前記認証装置が操作者を認証したら、前記可変電源スイッチの操作で全回路への電源供給をオン／オフ操作可能とし、認証しなければ前記可変電源スイッチの操作では前記防犯センサ、及び防犯センサの異常検知を受けて前記居室親機が発報動作するための回路への電源供給を停止できないよう前記電源操作変更部を制御することを特徴とするインターホン装置。
【発明の詳細な説明】
【技術分野】
【０００１】
本発明は、集合住宅或いは戸建住宅に設置されるインターホン装置に関し、特に防犯機能を備えたインターホン装置に関する。
【背景技術】
【０００２】
集合住宅或いは戸建住宅の居室において、窓やドアの開放を検知する窓センサ，ドアセンサ等の防犯センサを居室親機に接続して、窓等の開放を検知したら警報を発するよう構成されたインターホン装置が普及している。このようなインターホン装置は、居室親機を操作して留守設定或いは防犯設定することで、防犯センサを能動状態とし、不審者等が窓や扉を開けたら音等で警報発報を行うよう構成されている（例えば、特許文献１参照）。
一方で、居室親機には回路全体に供給する電源をオン／オフ操作する電源スイッチが備えられている（例えば、特許文献２参照）。
【０００３】
【特許文献１】特開２００３−３２４５３５号公報
【特許文献２】特開２００１−６９２１６号公報
【発明の開示】
【発明が解決しようとする課題】
【０００４】
従来の居室親機に設けられた上記電源スイッチは、居室親機ケースの側面等見つけやすい位置に設けられ、スイッチオフ操作によって全ての機能が停止する。そのため、せっかく防犯センサを接続してセキュリティ機能を持たせても、悪意ある侵入者が発報動作前に電源スイッチを操作してしまったらセキュリティ機能が停止してしまうことになる。
この点を考慮すると、インターホン装置全体の電源を操作する電源スイッチ（主電源スイッチ）そのものを無くしてしまう構成も考えられるが、未入居等で居住者がいない場合はオン状態としておく必要はないし、不審者が主電源スイッチが無いと判断したら居室親機そのものを破壊することが考えられるため、機器全体の電源を操作する電源スイッチを設けることは必要である。
【０００５】
そこで、本発明はこのような問題点に鑑み、主電源スイッチを居室親機に設けた構成であっても、侵入者等居住者以外の人が容易にオフ操作できないインターホン装置を提供すること、更に侵入者に対して電源オフ操作が成されたと思わせる電源スイッチを備えたインターホン装置提供することを目的とする。
【課題を解決するための手段】
【０００６】
上記課題を解決する為に、請求項１の発明は、来訪者が居住者を呼び出すために集合住宅のエントランスに設置された集合玄関機と、集合玄関子機からの呼び出しに応答するために居室内に設置された居室親機と、各機器間の通信及び通話を制御する制御機とを有し、居室親機には窓センサ等の防犯センサが接続され、防犯センサが異常を検知したら居室親機が発報動作すると共に、少なくとも制御機へ異常発生信号を送信するインターホン装置において、居室親機に、回路全体への電源供給を操作する主電源スイッチに加えて、少なくとも居室親機の表示機能を停止し、防犯センサ及び防犯センサの異常検知を受けて制御機へ異常発生信号を送信するための回路への電源供給は継続する副電源スイッチを備えたことを特徴とする。
【０００７】
この構成によれば、副電源スイッチをオフ操作することで居室親機の表示が消える。従って、副電源スイッチを操作することで侵入者に対して居室親機全体の電源がオフしたと思い込ませることができ、居室親機の機能停止を目的として居室親機が破壊されるのを防止できる。そして、副電源スイッチがオフされても、防犯センサ、警報に関係した回路は能動状態を維持し、異常を検知したら制御機に異常発生信号を送信するので、管理人等に知られることができる。
【０００８】
請求項２の発明は、来訪者が居住者を呼び出すために住戸玄関に設置された玄関子機と、玄関子機からの呼び出しに応答するために住戸内に設置された居室親機とを有し、居室親機には窓センサ等の防犯センサが接続され、防犯センサが異常を検知したら居室親機が発報動作するインターホン装置において、居室親機に、回路全体への電源供給を操作する主電源スイッチに加えて、少なくとも居室親機の表示機能を停止し、防犯センサ及び防犯センサの異常検知を受けて発報動作を行うための回路への電源供給は継続する副電源スイッチを備えたことを特徴とする。
【０００９】
この構成によれば、副電源スイッチをオフ操作することで居室親機の表示が消える。従って、副電源スイッチを操作することで侵入者に対して居室親機全体の電源がオフしたと思い込ませることができ、居室親機の機能停止を目的として居室親機が破壊されるのを防止できる。そして、副電源スイッチがオフされても、防犯センサ、警報に関係した回路は能動状態を維持するため、異常を検知したら正常に発報動作を実施するので、侵入者を撤退させるのに効果的である。
【００１０】
請求項３の発明は、来訪者が居住者を呼び出すために集合住宅のエントランスに設置された集合玄関機と、集合玄関子機からの呼び出しに応答するために居室内に設置された居室親機と、各機器間の通信及び通話を制御する制御機とを有し、居室親機には窓センサ等の防犯センサが接続され、防犯センサが異常を検知したら居室親機が発報動作すると共に、少なくとも制御機へ異常発生信号を送信するインターホン装置において、居室親機は、操作者を認証するための認証装置と、少なくとも居室親機の表示機能を停止する可変電源スイッチと、可変電源スイッチによる電源操作領域を変更する電源操作変更部と、電源操作変更部を制御する制御手段とを有し、制御手段は、認証装置による操作者の認証を受けて、可変電源スイッチの操作により全回路への電源供給をオン／オフ操作可能とし、認証しなければ可変電源スイッチの操作では防犯センサ、及び防犯センサの異常検知を受けて制御機に異常発生信号を送信するための回路への電源供給を停止できないよう電源操作変更部を制御することを特徴とする。
【００１１】
この構成によれば、侵入者等の登録されていない人が可変電源スイッチを操作した場合は、居室親機の表示部が消える。従って、可変電源スイッチを操作することで侵入者に対して居室親機全体の電源がオフしたと思い込ませることができ、居室親機の機能停止を目的として居室親機が破壊されるのを防止できる。
そして、可変電源スイッチがオフされても、防犯センサ、警報に関係した回路は能動状態を維持し、異常を検知したら制御機に異常発生信号を送信するので、管理人等に知られることができる。また、居住者は認証データを予め登録しておくことで、居室親機全体の電源を操作することができる。
【００１２】
請求項４の発明は、来訪者が居住者を呼び出すために住戸玄関に設置された玄関子機と、玄関子機からの呼び出しに応答するために住戸内に設置された居室親機とを有し、居室親機には窓センサ等の防犯センサが接続され、防犯センサが異常を検知したら居室親機が発報動作するインターホン装置において、居室親機は、操作者を認証するための認証装置と、少なくとも居室親機の表示機能を停止する可変電源スイッチと、可変電源スイッチによる電源停止領域を変更する電源操作変更部と、電源操作変更部を制御する制御手段とを有し、制御手段は、認証装置が操作者を認証したら、可変電源スイッチの操作で全回路への電源供給をオン／オフ操作可能とし、認証しなければ可変電源スイッチの操作では防犯センサ、及び防犯センサの異常検知を受けて居室親機が発報動作するための回路への電源供給を停止できないよう電源操作変更部を制御することを特徴とする。
【００１３】
この構成によれば、侵入者等の登録されていない人が可変電源スイッチを操作した場合は、居室親機の表示部が消える。従って、可変電源スイッチを操作することで侵入者に対して居室親機全体の電源がオフしたと思い込ませることができ、居室親機の機能停止を目的として居室親機が破壊されるのを防止できる。
そして、可変電源スイッチがオフ操作されても防犯センサが侵入者を検知して発報動作を開始するので、侵入者を撤退させるのに効果的である。また、居住者は認証データを予め登録しておくことで、居室親機全体の電源を操作することができる。
【発明の効果】
【００１４】
本発明によれば、副電源スイッチを備えた構成の場合、オフ操作することで居室親機の表示が消えるので、操作した侵入者に対して居室親機全体の電源がオフしたと思い込ませることができ、居室親機の機能停止を目的として居室親機が破壊されるのを防止できる。そして、副電源スイッチがオフされても防犯センサ、警報に関係した回路は能動状態にあり、正常に発報動作等行うので、管理人に知らせたり侵入者を撤退させたりできる。
【００１５】
また、可変電源スイッチ、認証装置を備えた構成の場合は、登録されていない人が電源スイッチを操作すると居室親機の表示が消えるので、侵入者に対して居室親機全体の電源がオフしたと思い込ませることができ、居室親機の電源を切るために居室親機が破壊されるのを防止できる。そして、防犯センサおよび警報に関係した回路は能動状態のままなため、防犯センサが侵入者を検知して発報動作等を行うので、管理人に知らせたり侵入者を撤退させるのに効果的である。
【発明を実施するための最良の形態】
【００１６】
以下、本発明を具体化した実施の形態を、図面に基づいて詳細に説明する。図１は本発明に係るインターホン装置の第１の実施形態を示し、集合住宅に設置するインターホン装置の構成を示している。１は集合住宅のエントランスに設置され、居住者を呼び出すための集合玄関機、２は居室に設置されて呼び出しに応答するための居室親機、３は管理人室に設置される管理室親機、４は管理人室等に設置されて各機器間の通信及び通話を制御する制御機、５は管理室等に設置されて居室親機２の異常発生信号を受信したら報知動作する外部警報装置、６は個々の居室玄関に設置されて居住者を呼び出すための玄関子機、７は室内の異常や窓、玄関の開放を検知する防犯センサである。
【００１７】
居室親機２は、図２のブロック図に示すよう構成されている。１１は制御機４と通信して集合玄関機１と通話するための親機第１インターフェイス（親機第１ＩＦ）、１２は防犯センサ７を接続するためのセンサインターフェイス（センサＩＦ）、１３は各種設定を記憶するメモリ、１４は玄関子機６を接続する親機第２インターフェイス（親機第２ＩＦ）、１５はマイク１６及びスピーカ１７を備えて通話・音声を制御する通話回路、１８は集合玄関機１或いは玄関子機６のカメラ１ａ，６ａの撮像映像を出画するためのモニタ、１９は居室親機２を制御する親機ＣＰＵ、２０は商用電源から電源の供給を受ける電源回路、２１は居室親機２をオン／オフ操作する主電源スイッチ、２２はモニタ１８等の表示部及び通話回路１５の電源のみオン／オフ操作する副電源スイッチである。
尚、主電源スイッチ２１は、副電源スイッチ２２に比べて視覚的に発見され難い位置に配置され、副電源スイッチ２２は主電源スイッチ２１より大型に形成されている。また、モニタ１８にはタッチパネルが設けられており、操作部（図示せず）を兼ねている。
【００１８】
主電源スイッチ２１は電源回路２０の出力自体をオン／オフするスイッチであり、このオフ操作により居室親機２全体の電源が停止する。また、このとき居室親機２から電源の供給を受けている玄関子機６も停止する。一方、副電源スイッチ２２の操作により、モニタ１８をはじめＬＥＤから成る電源の状態を表示する電源表示灯（図示せず）や通話／終話ボタン２４（図１に示す）に設けられた同様にＬＥＤから成る通話表示灯２４ａ等、居室親機の発光表示部全ての電源がオン／オフされ、更に通話回路１５の電源も停止する。但し、この副電源スイッチ２２のオフ操作では、防犯センサ７の検知動作、防犯センサ７の動作を受けて、制御機４に異常発生信号を送信する回路は影響を受けることが無く、能動状態を維持する。
【００１９】
上記構成のインターホン装置は以下のように動作する。但し、集合玄関機１と居室親機２との間の通話、玄関子機６と居室親機２との間の通話に関する動作の説明は公知のインターホン装置の動作と同様であるため省略し、防犯センサ７の動作及び居室親機２の主電源スイッチ２１、副電源スイッチ２２の機能に関して説明する。
まず、居住者が出かける場合、或いは在宅であっても防犯機能を能動とするために、居住者の所定の操作により居室親機２が防犯設定される。この設定により窓や扉に設置された防犯センサ７は能動状態になり、不審者により窓や扉が開放されたらそれを検知して居室親機２に信号を出力する。居室親機２の親機ＣＰＵ１９は、この検知信号を受けてスピーカ１７及び玄関子機６のスピーカ（図示せず）から警報音を発すると共に、所定時間経過後に異常発生信号を制御機４に送信する。制御機４はこの異常発生信号を受信すると、図示しないメモリに記憶すると共に外部警報装置５及び管理室親機３に伝送する。そして、外部警報装置５及び管理室親機３は、この信号を受けて居室において防犯センサが作動したことを表示及び報知動作する。
【００２０】
このように、個々の居室において、防犯センサが作動したら、居室親機及び玄関子機が報知動作すると共に外部に設置された外部警報装置、管理室親機が報知動作するので、居住者が不在であっても、管理人等がそれを知ることができる。
【００２１】
ところが、侵入者がこのようなセキュリティ機能を備えた居室親機２が設置されていることを知っている場合は、発報動作前に居室親機２の電源を切ろうと主電源スイッチ２１より目立つよう設けられている副電源スイッチ２２がオフ操作されることになる。その結果、居室親機２の表示機能と通話機能が停止する。しかし、副電源スイッチ２１をオフ操作しても、防犯センサ７が動作して制御機４に報知する機能は能動状態のままであるため、室内に対する音声鳴動、異常発生の表示等の報知は停止するが、防犯センサ７が検知動作した後所定時間が経過したら、外部に異常発生信号を出力する。
その後は上記した場合と同様に、外部警報装置５は、この信号を受けて居室において防犯センサ７が作動したことを表示及び報知動作する。
【００２２】
このように、副電源スイッチをオフ操作することで居室親機の表示が消えるため、侵入者は副電源スイッチを操作することで居室親機全体の電源がオフしたと思い込み、主電源スイッチが操作されずに済む。そのため、居室親機の機能停止を目的として居室親機が破壊されるのを防止できるし、副電源スイッチがオフされても、防犯センサ、警報に関係した回路は能動状態を維持し、異常を検知したら制御機に異常発生信号を送信するので、管理人等に知られることができる。
また、副電源スイッチの方が主電源スイッチに比べ発見し易いため、侵入者等は副電源スイッチをまず操作するので、防犯センサ等の防犯機能を維持できる。
【００２３】
尚、防犯センサ７が動作してから、居室親機２が異常発生信号を制御機４に送信するまでの所定時間は、帰宅等で居住者が防犯解除操作するための時間が必要なために設定されている。また、ここでは副電源スイッチ２２を室内の異常や窓、玄関の開放を検知して制御機４に通知する機能に関わらない通話回路も含めて電力供給を停止する構成であるが、通話回路への電源供給を継続して、副電源スイッチ２２がオフされても異常を検知したら居室親機２を発報動作させて、居住者に注意を喚起するとともに侵入者に撤退を促すようにしても良い。
【００２４】
図３は、本発明に係るインターホン装置の第２の実施形態を示す居室親機のブロック図であり、上記実施形態と同様に集合住宅に使用するインターホン装置の居室親機を示している。図１の構成とはこの居室親機の構成が異なり、インターホン装置の他の構成は同様であるため、以下居室親機のみ説明する。
上記図２との比較において主電源スイッチ２１と副電源スイッチ２２を備える代わりに、電源オン／オフ範囲を可変とした可変電源スイッチ２５と、この制御範囲を変更する電源操作変更部２６、そして操作者を認証する認証装置としての指紋認証装置２７を備えている。
【００２５】
電源操作変更部２６は、親機ＣＰＵ１９の制御により可変電源スイッチ２５の機能を、防犯センサ７による室内の異常や窓、玄関の開放の検知を継続させて、制御機４に報知する機能を維持し、この動作に不必要な回路であるモニタ１８等の表示機能部、及び通話回路１５に対する電力供給を停止する機能（副電源スイッチ機能）と、居室親機２の全ての回路に対する電力供給を停止する機能（主電源スイッチ機能）とに切り替える。
また、指紋認証装置２７は、指紋情報入力部、指紋情報記憶部、指紋判定部（何れも図示せず）等を備え、指紋情報入力部に入力された指紋情報が、指紋情報記憶部に登録された指紋情報と一致するかどうか指紋判定部で判定され、一致する場合は認証情報が親機ＣＰＵ１９に出力される。
【００２６】
親機ＣＰＵ１９による切替制御は次のようである。但し、居室親機２の所定の操作で、居室親機２を操作する可能性のある居住者の指紋が指紋認証装置２７に登録されているものとする。
まず、待受状態では可変電源スイッチ２５は副電源スイッチ機能の状態となっている。そして、指紋認証装置２７により操作者が認証されたら主電源スイッチ機能に変更され、認証されなければ副電源スイッチ機能を維持する。こうして、操作者が居住者の場合は、可変電源スイッチ２５をオフ操作することで居室親機２全体の電源をオフできる。  尚、指紋認証が成されても、可変電源スイッチ２５が所定時間経過しても操作されなければ、可変電源スイッチ２５は副電源スイッチ機能に戻る。また、登録した居住者による操作であっても、節電を目的に防犯センサ７を能動として表示機能や通話回路の電源を落としたい場合は、認証操作せずに可変電源スイッチ２５のオフ操作をすることができる。
【００２７】
一方、悪意ある侵入者等が居室親機２の電源を切断する目的で可変電源スイッチ２５を操作した場合も、認証されることが無いため副電源スイッチとしての機能が変更されず、表示機能が停止するだけで室内の異常、窓や玄関の開放を検知して制御機４に報知動作する。
【００２８】
このように、侵入者等の登録されていない人が可変電源スイッチを操作した場合は、居室親機の表示部が消えるので、可変電源スイッチを操作することで侵入者に対して居室親機全体の電源がオフしたと思い込ませることができ、居室親機の機能停止を目的として居室親機が破壊されるのを防止できる。
そして、可変電源スイッチがオフされても、防犯センサ、警報に関係した回路は能動状態を維持し、異常を検知したら制御機に異常発生信号を送信するので、管理人等に知られることができる。また、居住者は認証データ記憶部に登録しておくことで、居室親機全体の電源を操作することができる。
【００２９】
図４は本発明に係るインターホン装置の第３の実施形態を示す構成図であり、戸建住宅に設置されるインターホン装置を示している。３１は玄関に設置されて居住者を呼び出すための玄関子機、３２は住戸内に設置されて呼び出し応答するための居室親機、３３は室内の異常、窓や玄関の開放を検知する防犯センサである。
【００３０】
居室親機３２は、図５のブロック図に示すよう構成されている。３４は防犯センサ３３を接続するためのセンサインターフェイス（センサＩＦ）、３５は各種設定を記憶するメモリ、３６は玄関子機３１を接続する親機インターフェイス（親機ＩＦ）、３７はマイク３８及びスピーカ３９を備えて通話・音声を制御する通話回路、４０は玄関子機３１のカメラの撮像映像を出画するためのモニタ、４１は居室親機３２を制御する親機ＣＰＵ、４２は商用電源から電源の供給を受ける電源回路、４３は居室親機２全体をオン／オフ操作する主電源スイッチ、４４はモニタ等４０の表示部及び通話回路３７の電源のみオン／オフ操作する副電源スイッチである。
尚、主電源スイッチ４３は、副電源スイッチ４４に比べて視覚的に発見され難い位置に配置され、副電源スイッチ４４は主電源スイッチ４３より大型に形成されている。また、モニタ４０にはタッチパネルが設けられ、操作部（図示せず）を兼ねている。
【００３１】
主電源スイッチ４３は電源回路４２の出力自体をオン／オフするスイッチであり、このオフ操作により居室親機３２全体の電源が停止する。このとき、居室親機３２から電源の供給を受けている玄関子機３１への電源も停止する。また副電源スイッチ４４により、モニタ４０をはじめＬＥＤから成る電源の状態を表示する電源表示灯（図示せず）や通話／終話ボタン４５（図４に示す）に設けられた同様にＬＥＤから成る通話表示灯４５ａ等、居室親機の発光表示部全ての電源がオン／オフ操作される。但し、この副電源スイッチ４４のオフ操作では、防犯センサ３３の検知動作、防犯センサ３３の動作を受けてスピーカ３９から警報音を発報する通話回路等の回路は影響を受けることが無く、能動状態を維持する。
【００３２】
上記構成のインターホン装置は以下のように動作する。但し、玄関子機３１と居室親機３２との間の通話に関する動作の説明は公知のインターホン装置の動作と同様であるため省略し、防犯センサ３３動作及び居室親機３２の主電源スイッチ４３、副電源スイッチ４４の機能に関して説明する。
まず、居住者が出かける場合、或いは在宅であっても防犯機能を能動とするために、居住者の所定の操作により居室親機３２が防犯設定される。この設定により窓や扉に設置された防犯センサ３３は能動状態になり、不審者により窓や扉が開放されたらそれを検知して居室親機３２に信号を出力する。居室親機２３の親機ＣＰＵ４１は、この検知信号を受けてスピーカ３９及び玄関子機３１のスピーカ（図示せず）から警報音を発すると共に、モニタ３９に警報内容を表示制御する。
【００３３】
ところが、侵入者がこのようなセキュリティ機能を備えた居室親機３２が設置されていることを知っている場合は、発報動作前に居室親機３２の電源を切ろうとし、主電源スイッチ４３より目立つよう設けられている副電源スイッチ４４がオフ操作される。その結果、居室親機３２の表示機能、警報音機能が停止する。しかし、副電源スイッチ４４をオフ操作しても、防犯センサ３３が動作して警報を発する機能は能動状態のままであるため、玄関子機３１からの警報音の発報は停止されない。
【００３４】
このように、副電源スイッチをオフ操作することで居室親機の表示が消えるので、副電源スイッチを操作することで侵入者に対して居室親機全体の電源がオフしたと思い込ませることができ、居室親機の機能停止を目的として居室親機が破壊されるのを防止できる。
また、副電源スイッチの方が主電源スイッチに比べ発見し易いため、侵入者等は副電源スイッチをまず操作する。よって、防犯センサ等の防犯機能を維持できる。
【００３５】
尚、ここでは、副電源スイッチ４４を室内の異常や窓、玄関の開放を検知して玄関子機３１が発報動作する機能に関わらない回路を含めて電力供給を停止する構成であるが、通話回路への電源供給を継続して、副電源スイッチ４４がオフされても異常を検知したら居室親機３２を発報動作させて、居住者に注意を喚起するとともに侵入者に撤退を促すようにしても良い。
【００３６】
図６は、本発明に係るインターホン装置の第４の実施形態を示す居室親機のブロック図であり、上記第３の実施形態と同様に戸建住戸に使用するインターホン装置の居室親機を示している。図４の構成とはこの居室親機の構成が異なり、インターホン装置の他の構成は同様であるため、以下居室親機のみ説明する。
上記図５との比較において主電源スイッチ４３と副電源スイッチ４４を備える代わりに、電源オン／オフ範囲を可変とした可変電源スイッチ４７と、この制御範囲を変更する電源操作変更部４８、そして操作者を認証する認証装置としての指紋認証装置４９を備えている。
【００３７】
電源操作変更部４８は、親機ＣＰＵ４１の制御により可変電源スイッチ４７の機能を、防犯センサ３３による室内の異常、窓や玄関の開放の検知を継続させて、居室親機３２が発報する機能を維持し、モニタ４０等の表示機能部に対する電力供給を停止する機能（副電源スイッチ機能）と、居室親機３２の全ての回路に対する電力供給を停止する機能（主電源スイッチ機能）とに切り替える。
また、指紋認証装置４９は、指紋情報入力部、指紋情報記憶部、指紋判定部（何れも図示せず）等を備え、指紋情報入力部に入力された指紋情報が、指紋情報記憶部に登録された指紋情報と一致するかどうか指紋判定部で判定され、一致する場合は認証情報が親機ＣＰＵ４１に出力される。
【００３８】
親機ＣＰＵ４１による切替制御は次のようである。尚、居室親機３２の所定の操作で、居室親機３２を操作する可能性のある居住者の指紋が指紋認証装置４９に登録されているものとする。
まず、待受状態では可変電源スイッチ４７は副電源スイッチ機能の状態となっている。そして、指紋認証装置４９により操作者が認証されたら主電源スイッチ機能に変更され、認証されなければ副電源スイッチ機能を維持する。こうして、操作者が居住者の場合は、可変電源スイッチ４７をオフ操作することで居室親機３２全体の電源をオフできる。そして、この制御は一定時間が経過したら解除され、可変電源スイッチ４７は副電源スイッチ機能に戻る。尚、登録した居住者による操作であっても、節電を目的に防犯センサ３３を能動として表示機能や通話回路の電源を落としたい場合は、認証操作せずに可変電源スイッチ４７のオフ操作することができる。
【００３９】
一方、悪意ある侵入者等が居室親機３の電源を切断する目的で可変電源スイッチ４７を操作した場合も、認証されることが無いため副電源スイッチとしての機能が変更されず、表示機能が停止するだけで室内の異常、窓や玄関の開放を検知して発報動作する。
【００４０】
このように、侵入者等の登録されていない人が可変電源スイッチを操作した場合は、居室親機の表示部が消えるので、可変電源スイッチを操作することで侵入者に対して居室親機全体の電源がオフしたと思い込ませることができ、居室親機の機能停止を目的として居室親機が破壊されるのを防止できる。
そして、可変電源スイッチがオフ操作されても防犯センサが侵入者を検知して発報動作を開始するので、侵入者を撤退させるのに効果的である。また、居住者は認証データ記憶部に登録しておくことで、居室親機全体の電源を操作することができる。
【００４１】
尚、上記第２及び第４の実施形態において、認証装置として指紋認証装置２７，４９を設けているが、指紋認証の他に網膜認証などの利用者の身体情報を識別するものでも良いし、居住者が所有する鍵またはＩＣカード等を識別するものであっても良い。更には単にテンキーを使用して暗証番号により認証させても良く、この場合は親機ＣＰＵ１９，４１が認証装置となる。
また、認証装置（指紋認証装置２７，４９）の入力情報を受けて、親機ＣＰＵ１９，４１の制御で電源操作変更部２６，４８が切替操作をする構成であるが、認証装置の認証信号により直接電源操作変更部２６，４８を切替操作しても良い。但し、この場合は親機ＣＰＵ１９，４１は、電源操作変更部２６、４８から指示を受けて必要な制御が成される。
そして、副電源スイッチがオフされても、防犯センサ、警報に関係した回路は能動状態を維持するため、異常を検知したら正常に発報動作を実施するので、侵入者を撤退させるのに効果的である。
【図面の簡単な説明】
【００４２】
【図１】本発明に係るインターホン装置の第１の実施形態を示す構成図である。
【図２】図１の居室親機のブロック図である。
【図３】本発明の第２の実施形態を示す居室親機のブロック図である。
【図４】本発明に係るインターホン装置の第３の実施形態を示す構成図である。
【図５】図５の居室親機のブロック図である。
【図６】本発明の第４の実施形態を示す居室親機のブロック図である。
【符号の説明】
【００４３】
１・・集合玄関機、２・・居室親機、３・・管理室親機、４・・制御機、５・・外部警報装置、６・・玄関子機、７・・防犯センサ、１５・・通話回路、１８・・モニタ、１９・・親機ＣＰＵ、２０・・電源回路、２１・・主電源スイッチ、２２・・副電源スイッチ、２５・・可変電源スイッチ、２６・・電源操作変更部、２７・・指紋認証装置（認証装置）、３１・・玄関子機、３２・・居室親機、３３・・防犯センサ、４０・・モニタ、４１・・親機ＣＰＵ、４２・・電源回路、４３・・主電源スイッチ、４４・・副電源スイッチ、４７・・可変電源スイッチ、４８・・電源操作変更部、４９・・指紋認証装置（認証装置）。
【図１】
2008118169.tif 000003
【図２】
2008118169.tif 000004
【図３】
2008118169.tif 000005
【図４】
2008118169.tif 000006
【図５】
2008118169.tif 000007
【図６】
2008118169.tif 000008